(57)【要約】      （修正有）【課題】ダンボールなどをカッターナイフを使用して直角や垂直に正確に切断する際に、カッターナイフの刃の部分を保持具の背の部分に出し入れ可能に取付けることにより、安全かつ性格に切断できるようにしたカッターを提供する。【解決手段】カッターナイフ保持具２に、カッターナイフ本体の刃１ａの部分が出没可能な開口を設け、該開口にカッターナイフ本体１の一端側を取付けると共に、同カッターナイフ本体１の他端側を、カッターナイフ保持具２に連結し強度を確実にする。カッターナイフ本体１に、カッターナイフの刃１ａの出没調整のため締込み調整による刃出調整機構４を設ける。【選択図】図１
0003173920.tif 000002
【実用新案登録請求の範囲】
【請求項１】
カッターナイフ保持具の背の部分に、カッターナイフの刃の部分が出没可能な開口を設け、同開口に前記カッターナイフ本体の一端側を取付けると共に、同カッターナイフ本体の他端側を、前記カッターナイフ保持具に連結したことを特徴とする切断カッター。
【請求項２】
上記カッターナイフ保冶具に着脱自在な補助具を取付けた ことを特徴とする 
請求項１に記載の切断カッター。
【請求項３】
上記補助具、およびまたは、上記カッターナイフ保冶具が可透性材からなることを特徴とする 請求項２に記載の切断カッター。
【考案の詳細な説明】
【技術分野】
【０００１】
ダンボールなどを安全に正確に切断することができる切断カッターに関する。
【背景技術】
【０００２】
ダンボールなどをカッターナイフを使用して直角や垂直に正確に切断する際に、カッターナイフの刃の部分を保持具の背の部分に出し入れ可能に取付ける。
【先行技術文献】
【特許文献】
【０００３】
【特許文献１】特開２００５−４６９６１号公開公報
【考案の概要】
【考案が解決しようとする課題】
【０００４】
ダンボール箱の角部分を切断する際に、直角や垂直に正確に切断する切断カッターが切望されているが、市販品は見当たらない。
【課題を解決するための手段】
【０００５】
カッターナイフ保持具の背の部分に、カッターナイフの刃の部分が出没可能な開口を設け、同開口に前記カッターナイフ本体の一端側を取付けると共に、同カッターナイフ本体の他端側を、前記カッターナイフ保持具に連結したことを特徴とする切断カッターで、更に、カッターナイフ保冶具に着脱自在な補助具を取付けて安全性を高めると共に、被切断材(例えば、紙など)を補助具で押え込みながら、切断することにより、特に薄い紙などのめくれが防止出来るようになった。
また、補助具、およびまたは、上記カッターナイフ保冶具が可透性材からなるので、ナイフの刃の部分が自由に調節できるようにした。
【考案の効果】
【０００６】
ダンボール類、例えば、ダンボール箱の角部分を切断する際、安全に正確に切断することができた。  また、補助具、およびまたは、上記カッターナイフ保冶具が可透性材からなるので、ナイフの刃の調整が正確にでき、更に、ダンボール厚さの半切断や、正確な直線のみならず、被切断材(例えば、紙など)を補助具で押え込みながら、切断することにより、特に薄い紙などのめくれが防止出来き、曲線や波型、更には、ジグザグ線に切断することが容易にできた。ダンボールの高さや幅を調整して、再利用する際には、補助具やカッターナイフ保冶具が可透性材からなるので、安全確実に製作できた。
【図面の簡単な説明】
【０００７】
【図１】本考案に係る一実施例を示す側面図である。
【図２】本考案に係る一実施例を示す裏面図である。
【図３】本考案に係る一実施例の補助具を示す平面図である。
【考案を実施するための形態】
【０００８】
本考案に係る一実施例を、図１から図３を参照して以下説明する。
【実施例】
【０００９】
図１に図示するごとく本実施例では、カッターナイフ保持具２に、カッターナイフ本体の刃１aの部分が出没可能な開口２aを設け、開口２aにカッターナイフ本体１の一端側を取付けると共に、同カッターナイフ本体１の他端側を、カッターナイフ保持具２に連結し強度を確実にした。カッターナイフ本体１に、カッターナイフの刃１aの出没調整のため締込み調整による刃出調整機構４を設けた。
図２に図示する如く、本実施例では、補助具５やカッターナイフ保冶具２が可透性材からなるので、カッターナイフの刃１aが、カッターナイフ保持具２の内側に配置され、切断時に安全で、カッターナイフの刃１a、自体がカッターナイフ保持具２の内側に出し入れ可能で切断の深さが調整でき半切断が容易にできた。
図３に図示する補助具５を装着することによりフイルム、薄い紙の切断部分を刃先中央口６の両サイドが切断面を押さえることにより薄い紙がめくれることもなく直線、曲線、波型、更には、ジグザグ線が綺麗に切断が可能になった。切断線を中央線７に合致させることにより正確に直線を切ることが出来る。更に補助具５をアクリル樹脂製としたことで、可撓性を有するので、刃先がわずかに頭出しても、指が触れて切傷することはなく安全に取り扱うことが出来る。
【産業上の利用可能性】
【００１０】
本考案の切断カッターでは、ダンボール類を単に切断できるのみならず、被切断物を再利用する際、被切断物（ダンボール箱など）の高さや幅を調整して、安全正確に切断、半切断ができる。また、本考案の切断カッターは、ダンボールのみならず、プラスチックフィルムや発泡スチロールなどの切断に利用できる。
【符号の説明】
【００１１】
１    カッターナイフ本体
１a   カッターナイフの刃
２    カッターナイフ保持具
２a  カッターナイフ保持具に設けた開口
３    固着部
４    カッターナイフの刃出調整機構
５    補助具
６    刃先中央口
７    中央線
【図１】
0003173920.tif 000003
【図２】
0003173920.tif 000004
【図３】
0003173920.tif 000005
【手続補正書】
【提出日】平成23年10月26日(2011.10.26)
【手続補正１】
【補正対象書類名】実用新案登録請求の範囲
【補正対象項目名】全文
【補正方法】変更
【補正の内容】
【実用新案登録請求の範囲】
【請求項１】
カッターナイフ保持具の背の部分に、互いに所定の角度をなす２つの部分で構成されたカッターナイフ本体の前記２つの部分の内，一方の部分にカッターナイフの刃の部分が出没調整可能な開口を設け，同開口に前記カッターナイフ本体の一方の部分を取付けると共に，前記カッターナイフ本体の他方の部分を前記カッターナイフ保持具の背の部分に連結したことを特徴とする 切断カッター。
【請求項２】
上記カッターナイフ保持具の背裏側部分に、被切断部の両サイド切断面を押さえる補助具を着脱自在に取付けたことを特徴とする請求項１に記載の切断カッター。
【請求項３】
上記補助具、およびまたは、上記カッターナイフ保持具が可透性材からなることを特徴とする 請求項２に記載の切断カッター。
【手続補正書】
【提出日】平成23年12月16日(2011.12.16)
【手続補正１】
【補正対象書類名】実用新案登録請求の範囲
【補正対象項目名】全文
【補正方法】変更
【補正の内容】
【実用新案登録請求の範囲】
【請求項１】
カッターナイフ保持具とカッターナイフ本体とを備える切断カッターにおいて、カッターナイフ保持具の背の部分に、カッターナイフの刃の部分が出没可能な開口を設け、カッターナイフ本体は互いに所定の角度をなす二つの部分で構成され同開口に前記カッターナイフ本体の一端側を取付けると共に、前記カッターナイフの刃の部分を同開口から出没調整可能に設け、同カッターナイフ本体の他端側を前記カッターナイフ保持具に連結したことを特徴とする切断カッター。
【請求項２】
上記カッターナイフ保持具の背裏側部分に、被切断部の両サイド切断面を押さえる補助具を着脱自在に取り付けたことを特徴とする請求項１に記載の切断カッター。
【請求項３】
被切断材の両サイド切断面を押さえる前記補助具に、同補助具に形成した刃先中央口を通る中央線を設けたことを特徴とする請求項２に記載の切断カッター。